(57)【要約】      （修正有）【課題】定量が簡単な縦方向スライド送り装置を設ける定量式調味料入れを提供する。【解決手段】容器のハウジング、フリップ２を含み、さらに、固定上蓋と縦方向に設置されたスライド送り装置４、内部ブラケットとファンネル７も含む。スライド送り装置は、縦方向式となり、自重のため、残りの調味料Ｓの粒が自然に下へ落ちるので、余計で溢れたのが自然に装置内に残ることがない。また、スライド送り装置は、複数設置することができ、対応したインスパイアボタンが最上部に置かれ、しかも、滑り止めフルートが付けられ、固定上蓋に対応したところに分量の標識がマークされている。【選択図】図３
0003200869.tif 000002
【実用新案登録請求の範囲】
【請求項１】
容器のハウジング、フリップを含む定量取出調味料入れにおいて、
さらに、固定上蓋と縦方向に設置されたスライド送り装置、内部ブラケットとファンネルも含み、
前記スライド送り装置が前記ハウジングの中に設置され、しかも前記ハウジングの内壁に密着し、
前記スライド送り装置には、ボタン、ガイド円柱、スプリング、定量グリッドを含み、
前述ガイド円柱が前記ボタンおよび前記定量グリッドと接続し、
前記ハウジングには、前記スライド送り装置をパッケージするための垂直バッフル、前記内部プラケットの傾斜バッフルを含み、
前記垂直バッフルのパッケージ外側、前記傾斜バッフルの上端および前記ハウジングの内側から缶の内部空洞に形成し、
前記傾斜バッフルと前記垂直バッフルの立面と接近する一端が傾斜底部となり、前記垂直バッフルは前記傾斜バッフルと接続しなく、そして両者の間から缶の内部空洞の放出口を成形し、前記垂直バッフルのパッケージ内部に、また水平方向にガイド円柱ストッパープレートも設置され、
前記スプリングが前記ガイド円柱の外側にカバーし、前記スプリングの一端には前記ボタンの下端に突き、前記スプリングが向こうの一端には、前記ガイド円柱ストッパープレートの上端に突き、
前記定量グリッドは、中空となり、しかも定量グリッドの供給口を含み、前記ハウジングの内側の下端、前記傾斜バッフルと前記ファンネルは輪のように接合されるとファンネルチャンバに形成し、
前記定量グリッドの供給口は、前記缶の内部空洞の放出口と接合し、調味料を前記定量グリッドに入れ、前記スライド送り装置によって前記ファンネルチャンバの内部に移動し、調味料を前記ファンネルチャンバに放出する定量取出調味料入れ。
【請求項２】
前記スライド送り装置は少なくとも１セットを設置し、前記垂直バッフルの数量は前記スライド送り装置と一致し、前記定量グリッドの内腔容量は不一致とすることを特徴とする請求項1の定量取出式調味料入れ。
【請求項３】
前記スライド送り装置は対向している２セットを設置し、前記垂直バッフル、傾斜バッフルの数量は、前記スライド送り装置の数量と一致し、前記定量グリッドの内腔容量は不一致とする請求項1の定量取出式調味料入れ。
【請求項４】
放出口の分散スポットも含み、前記放出口の分散スポットは、漏れ出した調味料を均等に周りに分散するように、前記ファンネルの放出口に設置されている。放出口の分散スポットも含み、前記放出口の分散スポットは、漏れ出した調味料を均等に周りに分散するように、前記ファンネルの放出口に設置されていることを特徴とする請求項1の定量取出式調味料入れ。
【請求項５】
前記放出口の分散スポットは、具体的な帽子状の構造であり、前記調味料が前記放出口の分散スポットの上端に漏れ出した時、均等に周りに分散することを特徴とする請求項４の定量取出式調味料入れ。
【請求項６】
前記固定上蓋の上端に前記定量グリッドの容量に対応した標識が設けられ、前記標識は、前記ボタンの横に設けられていることを特徴とする請求項１の定量取出式調味料入れ。
【考案の詳細な説明】
【技術分野】
【０００１】
本実用新案は、食用流動調味料保存の技術分野に属し、定量取出式調味料入れに関する。
【背景技術】
【０００２】
既存の調味料（塩など）の保存容器は、大部分が主にプラスチック製或いはステンレス製であり、使用時、蓋を開けて、また小さじで大ざっぱに塩を取り出し、味覚だけで塩の分量を判断し、決まっている標準もなく、長期的にしていけば、ひどく体の健康に影響を与える。然し、市場で、ほんの一部分が定量可能な調味料入れであり、この種類の調味料入れは、定量方式から分類すれば、一般的に、定量グリッドのスライド距離制限による定量式と定量グリッドのサイズ交換式の二種類があるが、後述の欠点が広く存在している。１．定量が面倒、ボタンを押して、塩保存グリッドのスライド距離を制限にする方式であれ、定量グリッドのサイズを交換する方式であれ、実際の使用中、面倒になる。２．日常の使用中、調味料の粒が溢れてスライド送り装置の隙間に残り、長時間になると、スライド部品は詰まり、不順調となる。３．これらの定量取出調味料入れの送り装置は一般的に缶の底部に設置されているので、取り出しが不便である。４．水平の送り装置は一般的に放出口が複数できず、一つしか設置できない。
【考案の概要】
【考案が解決しようとする課題】
【０００３】
上記の従来技術の不足について、本実用新案は、縦方向スライド定量式調味料入れを提供し、従来技術が存在している問題点を解決することを目的とする。
【課題を解決するための手段】
【０００４】
前記目的を実現するため、本実用新案は以下の技術的解決手段を採用する。
【０００５】
定量取出調味料入れは、容器のハウジング、フリップを含み、さらに、固定上蓋と縦方向に設置されたスライド送り装置、内部ブラケットとファンネルも含み、前記スライド送り装置が前記ハウジングの中に設置され、しかも前記ハリウッドの内壁に密着し、前記スライド送り装置には、ボタン、ガイド円柱、スプリング、定量グリッドを含み、前述ガイド円柱が前記ボタンおよび前記定量グリッドと接続し、前記内部ブラケットには、前記スライド送り装置をパッケージするための垂直バッフル、前記内部プラケットの傾斜バッフルを含み、前記垂直バッフルのパッケージ外側、前記傾斜バッフルの上端および前記ハウジングの内側から缶の内部空洞に形成し、前記傾斜バッフルと前記垂直バッフルの立面と接近する一端が傾斜底部となり、前記垂直バッフルは前記傾斜バッフルと接続しなく、そして両者の間から缶の内部空洞の放出口に成形し、前記垂直バッフルのパッケージ内部に、また水平方向にガイド円柱ストッパープレートも設置され、前記スプリングが前記ガイド円柱の外側にカバーし、前記スプリングの一端には前記ボタンの下端に突き、前記スプリングが向こうの一端には、前記ガイド円柱ストッパープレートの上端に突き、前記定量グリッドは、中空となり、しかも定量グリッドの供給口を含み、前記ハウジングの内側の下端、前記傾斜バッフルと前記ファンネルは輪のように接合されるとファンネルチャンバに形成し、前記定量グリッドの供給口は、前記缶の内部空洞の放出口と接合し、調味料を前記定量グリッドに入れ、前記スライド送り装置によって前記ファンネルチャンバの内部に移動し、調味料を前記ファンネルチャンバに放出する。
【０００６】
好ましくは、前記スライド送り装置は少なくとも１セットを設置し、前記垂直バッフルの数量は前記スライド送り装置と一致し、前記定量グリッドの内腔容量は不一致とする。
【０００７】
具体的には、前記スライド送り装置は対向している２セットを設置し、前記垂直バッフル、傾斜バッフルの数量は、前記スライド送り装置と一致し、前記定量グリッドの内腔容量は不一致とする。
【０００８】
好ましくは、さらに、放出口の分散スポットも含み、前記放出口の分散スポットは、漏れ出した調味料を均等に周りに分散するように、前記ファンネルの放出口に設置されている。
【０００９】
好ましくは、前記放出口の分散スポットは、具体的な帽子状の構造であり、前記調味料が前記放出口の分散スポットの上端に漏れ出した時、均等に周りに分散する。
【００１０】
一般的には、前記固定上蓋の上端に前記定量グリッドの容量に対応した標識が設けられ、前記標識は、前記ボタンの横に設けられている。
【００１１】
本実用新案の定量取出式調味料入れは、下記の利点がある。１．スライド送り装置は、縦方向式となり、自重のため、残りの調味料の粒が自然に下へ落ちるので、余計で溢れたのが自然に装置内に残ることがない。２．送り装置は、複数設置することができ、対応したインスパイアボタンが最上部に置かれ、しかも、滑り止めフルートが付けられ、固定上蓋に対応したところに分量の標識がマークされているので、視覚的に表現される。
【図面の簡単な説明】
【００１２】
【図１】本実用新案の定量取出式調味料入れの主体外観図である。
【図２】本実用新案の定量取出式調味料入れの開栓状態の概略図である。
【図３】本実用新案の定量取出式調味料入れ実施例1の静止状態の断面図である。
【図４】本実用新案の定量取出式調味料入れ実施例1の使用状態の断面図である。
【図５】本実用新案の定量取出式調味料入れ実施例1の部品組立状態の概略図である。
【図６】本実用新案の定量取出式調味料入れ実施例2の静止状態の断面図である。
【図７】本実用新案の定量取出式調味料入れ実施例2の使用状態の断面図である。
【図８】本実用新案の定量取出式調味料入れ実施例2の部品組立状態の概略図である。
【考案を実施するための形態】
【００１３】
本実用新案を達成するため技術的な手段、創作的な特徴、達成しようとする課題および効果をさらにわかりやすくなるように、以下、具体的な実施例と図面を例示し、さらに本実用新案を説明するが、但し、下記実施例は、本実用新案の好ましい実施例だけであり、全てではない。実施方式の実施例を基づき、該分野技術業者が創造的な成果を達成していない前提下、得られたほかの実施例は、全部、本実用新案の保護範囲に属する。
【００１４】
以下、図面を参照し、本実用新案の実施例を説明する。
【実施例１】
【００１５】
図1、図2、図3、図4、図5に示すように、本実用新案の定量取出調味料入れ100は、容器のハウジング１、フリップ2を含み、さらに、固定上蓋3と縦方向に設置された第一スライド送り装置4、内部ブラケット6とファンネル7も含む。フリップ２はハウジング１の上端部片側にヒンジ結合し開閉可能である。
【００１６】
第一スライド送り装置4がハウジング1の中に設置され、しかもハウジング1の内壁に密着する。第一スライド送り装置4には、第一ボタン41、第一ガイド円柱42、第一スプリング43、及び、第一定量グリッド44を含む。第一ガイド円柱42は太径部と細径部とを有し、第一ボタン41および第一定量グリッド44に接続する。第一スプリング43が第一ガイド円柱42の細径部に掛装される。
【００１７】
内部ブラケット6には、第一スライド送り装置4をパッケージするための垂直バッフル61、内部ブラケット6の傾斜バッフル62（図４参照）を含む。垂直バッフル61のパッケージ外側、傾斜バッフル62の上端およびハウジング1の内側から缶の内部空洞10を形成する。
【００１８】
傾斜バッフル62と垂直バッフル61の立面と接近する一端が傾斜底部となる。垂直バッフル61は傾斜バッフル62と接続されていない。垂直バッフル61と傾斜バッフル62の間から缶の内部空洞10の放出口12（図４参照）が成形される。垂直バッフル61のパッケージ内部に、水平方向にガイド円柱ストッパープレート611も設置される。
【００１９】
第一スプリング43が第一ガイド円柱42の外側をカバーし、第一スプリング43の上端は42に当たる第一ボタン41の下端にある第一ガイド円柱42の下端に当たる。第一スプリング43の下端は、ガイド円柱ストッパープレート611の上端に当たる。第一定量グリッド44は凹部である、1つの定量グリッド供給口441を含む。
【００２０】
本実施例1では、定量グリッドが口の広い定量グリッド、つまり、第一定量グリッド供給口441である。ハウジング1の内側の下端において、傾斜バッフル62の下端と、ファンネル7は輪状に対向配置され、ファンネルチャンバに形成する。
【００２１】
本実施例1では、第一スライド送り装置4は対向している第二スライド送り装置5により、２セットを設置し、垂直バッフル61、傾斜バッフル62の数量は、スライド送り装置４，5と一致し、具体的な対向の設置方式は図面に示すとおり、対向するように、第二スライド送り装置5、第二スプリング53、第二定量グリッド54および対応するようにマッチした垂直バッフル61と傾斜バッフル62も設置されている。
【００２２】
本実施例1では、第一定量グリッド44と第二定量グリッド54の容量はそれぞれ0.5ｇと0.75ｇとなる。
【００２３】
好ましくは、ファンネル7は、上方に起立する起立フック9を一対備え、孔18と係合する。ファンネル7は放出口20にある分散スポット8も含み、この放出口20の分散スポット8は、漏れ出した調味料Ｓを均等に周りに分散するような、具体的には、帽子状の構造であり、また、立板15が分散スポット8から上方に延び出すように、ファンネル7の放出口20に設置されている。
【００２４】
一般的には、固定上蓋3の上端に定量グリッド4,5の容量に対応した標識（ここでは容量を示す「0.5ｇ」、「0.75ｇ」の文字）が設けられ、標識は、ボタン41,51の横に設けられている。
【００２５】
つぎに本発明実施例1の定量取出調味料入れ100の使用方法を説明する。図３は調味料Sを放出しない状態を示す。この状態で調味料Ｓは第一定量グリッド供給口441に充填される。ここで、第一ボタン41を押し下げると、図４に示すとおり、第一定量グリッド供給口441は、缶の内部空洞10の放出口12と接合し、調味料Ｓを第一定量グリッド44に入れ、第一スライド送り装置4によって、ファンネルチャンバの内部に移動し、調味料Ｓをファンネルチャンバの分散スポット8に向かって放出し、分散スポット8で漏れ出した調味料Ｓを均等に周りに分散し、放出口20から放出する。
【実施例２】
【００２６】
図1、図2、図6、図7、図8に示すように、本実用新案の定量取出調味料入れ100は、実施例１と概ね同様の構造であるが、相違点があるので、主として、相違点を説明する。定量取出調味料入れ100は、容器のハウジング1、フリップ2を含み、さらに、固定上蓋3と縦方向に設置された第一スライド送り装置4、内部ブラケット6とファンネル7も含む。
【００２７】
第一スライド送り装置4がハウジング1の中に設置され、しかもハウジング1の内壁に密着し、第一スライド送り装置4には、第一ボタン41、第一ガイド円柱42、第一スプリング43、第一定量グリッド44を含む。第一ガイド円柱42が第一ボタン41および第一定量グリッド44と接続する。
【００２８】
内部ブラケット6には、第一スライド送り装置4をパッケージための垂直バッフル61、内部ブラケット6の傾斜バッフル62を含む。垂直バッフル61のパッケージ外側、傾斜バッフル62の上端およびハウジング１の内側から缶の内部空洞10を形成する。傾斜バッフル62と垂直バッフル61の立面と接近する一端が傾斜底部となり、垂直バッフル61は傾斜バッフル62と接続していない。両者の間から缶の内部空洞10の放出口12を成形し、垂直バッフル61のパッケージ内部に、また水平方向にガイド円柱ストッパープレート611も設置される。
【００２９】
第一定量グリッド44は中空となり、しかも第一定量グリッド供給口441および第一定量グリッド放出口442を含む。第一定量グリッド供給口441は、缶の内部空洞10の放出口12と接合し、調味料Ｓを缶の内部空洞10から定量グリッド4に入れ、第一定量グリッド放出口442は、ハウジング1の内側の下端に設置された溝状の受容トラフ11と接合する。ハウジング1の内側の下端、傾斜バッフル62の下端とファンネル7は輪状に対向配置され、ファンネルチャンバに形成し、受容トラフ11は、ファンネル7のチャンバと接合し、受容トラフ11により、第一定量グリッド44の中の調味料Ｓをファンネルチャンバに放出する。
【００３０】
本実施例2では、第一スライド送り装置4と第二スライド送り装置5は、対向している２セットで配置され、垂直バッフル61、傾斜バッフル62の数量は、スライド送り装置4,5と一致し、具体的な対向の設置方式は図面を示すとおり、対向配置され、第二スライド送り装置5、第二ボタン51、第二ガイド円柱52、第二スプリング53、第二定量グリッド54および対応してマッチした垂直バッフル61と傾斜バッフル62も設置されている。
【００３１】
本実施例2では、第一定量グリッド44と第二定量グリッド54の容量はそれぞれ0.5ｇと0.75ｇとなる。
【００３２】
好ましくは、放出口20の分散スポット8も含み、放出口の分散スポット8は、漏れ出した調味料Ｓを均等に周りに分散するように、ファンネル7の放出口20に設置されている。
【００３３】
好ましくは、放出口20の分散スポット8は、具体的な帽子状の構造であり、調味料Ｓが放出口の分散スポットの上端に漏れ出した時、均等に周りに分散する。
【００３４】
一般的には、固定上蓋の上端に定量グリッドの容量に対応した標識（ここでは容量を示す「0.5ｇ」、「0.75ｇ」）が設けられ、標識は、ボタンの横に設けられている。
【００３５】
つぎに本発明実施例2の定量取出調味料入れ100の使用方法を説明する。実施例1と同様であるが、調味料Ｓは、図６に示すとおり、第一定量グリッド放出口442に貯留され、図７に示すとおり、第一定量グリッド放出口442からファンネルチャンバの分散スポット8に向かって放出し、分散スポット8で漏れ出した調味料Ｓを均等に周りに分散し、放出口20から放出する。
【００３６】
該分野技術業者にとって、以上、説明した技術的解決手段およびアイデアにより、ほかの様々な対応した変更および変形を作り上げることができるが、然し全てこれらの変更および変形は、例えば、調味料入れの形を円柱形にするとか、全部、本実用新案が特許請求の保護範囲に属する。
【符号の説明】
【００３７】
1・・・ハウジング
11・・・放出フルート
2・・・フリップ
3・・・固定上蓋
4・・・第一スライド送り装置
41・・・第一ボタン
42・・・第一ガイド円柱
43・・・第一スプリング
44・・・第一定量グリッド
441・・・第一定量グリッド供給口
442・・・第一定量グリッド放出口
5・・・第二スライド送り装置
51・・・第二ボタン
52・・・第二ガイド円柱
53・・・第二スプリング
54・・・第二定量グリッド
541・・・第二定量グリッド供給口
542・・・第二定量グリッド放出口
6・・・内部ブラケット
61・・・垂直バッフル
611・・・ガイド円柱ストッパープレート
62・・・傾斜バッフル
7・・・ファンネル
8・・・放出口の分散スポット
9・・・起立フック
10・・・内部空洞
11・・・受容トラフ
12・・・放出口
15・・・立板
18・・・孔
20・・・放出口
Ｓ・・・調味料
【図１】
0003200869.tif 000003
【図２】
0003200869.tif 000004
【図３】
0003200869.tif 000005
【図４】
0003200869.tif 000006
【図５】
0003200869.tif 000007
【図６】
0003200869.tif 000008
【図７】
0003200869.tif 000009
【図８】
0003200869.tif 000010
【手続補正書】
【提出日】平成27年9月2日(2015.9.2)
【手続補正１】
【補正対象書類名】実用新案登録請求の範囲
【補正対象項目名】全文
【補正方法】変更
【補正の内容】
【実用新案登録請求の範囲】
【請求項１】
容器のハウジング、フリップを含む定量取出調味料入れにおいて、
さらに、固定上蓋と縦方向に設置されたスライド送り装置、内部ブラケット、受け皿の形状のファンネルも含み、内部ブラケットの上に前記固定上蓋、下に前記ファンネル、横にスライド送り装置が配置され、
前記スライド送り装置、及び内部ブラケットが前記ハウジングの中に設置され、しかも前記スライド送り装置が前記ハウジングの内壁に密着し、
前記スライド送り装置には、ボタン、ガイド円柱、スプリング、定量グリッドを含み、
前述ガイド円柱が前記ボタンおよび前記定量グリッドと接続し、
前記ハウジングには、前記スライド送り装置をパッケージするための垂直バッフル、前記内部プラケットの傾斜バッフルを含み、
前記垂直バッフルのパッケージの外側と、前記傾斜バッフルの上端と、前記ハウジングの内側によって缶の内部空洞を形成し、
前記傾斜バッフルと前記垂直バッフルの立面と接近する一端が傾斜底部となり、前記垂直バッフルは前記傾斜バッフルと接続しなく、そして両者の間から缶の内部空洞の放出口を成形し、前記垂直バッフルのパッケージ内部に、また水平方向にガイド円柱ストッパープレートも設置され、
前記スプリングが前記ガイド円柱の外側をカバーし、前記スプリングの一端は、前記ボタンの下端と接し、前記スプリングの他端は、前記ガイド円柱ストッパープレートの上端に接し、
前記定量グリッドは、中空となり、しかも定量グリッドの供給口を含み、前記ハウジングの内側の下端と、前記傾斜バッフルと、前記ファンネルが、輪のように接合されると、ファンネルチャンバを形成し、
前記定量グリッドの供給口は、前記缶の内部空洞の放出口と接合し、調味料を前記定量グリッドに入れ、前記スライド送り装置によって前記ファンネルチャンバの内部に移動し、調味料を前記ファンネルチャンバに放出する定量取出調味料入れ。
【請求項２】
前記スライド送り装置は少なくとも１セットを設置し、前記垂直バッフルの数量は前記スライド送り装置と一致し、前記定量グリッドの内腔容量は他の定量グリッドの内腔容量と不一致とすることを特徴とする請求項1の定量取出式調味料入れ。
【請求項３】
前記スライド送り装置は対向している２セットを設置し、前記垂直バッフル、傾斜バッフルの数量は、前記スライド送り装置の数量と一致し、前記定量グリッドの内腔容量は他の定量グリッドの内腔容量と不一致とする請求項1の定量取出式調味料入れ。
【請求項４】
放出口の分散スポットも含み、前記放出口の分散スポットは、漏れ出した調味料を均等に周りに分散するように、前記ファンネルの放出口に設置され、放出口の分散スポットも含み、前記放出口の分散スポットは、漏れ出した調味料を均等に周りに分散するように、前記ファンネルの放出口に設置されていることを特徴とする請求項1の定量取出式調味料入れ。
【請求項５】
前記放出口の分散スポットは、具体的には帽子状の構造であり、前記調味料が前記放出口の分散スポットの上端に漏れ出した時、均等に周りに分散することを特徴とする請求項４の定量取出式調味料入れ。
【請求項６】
前記固定上蓋の上端に前記定量グリッドの容量に対応した標識が設けられ、前記標識は、前記ボタンの横に設けられていることを特徴とする請求項１の定量取出式調味料入れ。
【手続補正２】
【補正対象書類名】明細書
【補正対象項目名】０００５
【補正方法】変更
【補正の内容】
【０００５】
定量取出調味料入れは、容器のハウジング、フリップを含む定量取出調味料入れにおいて、さらに、固定上蓋と縦方向に設置されたスライド送り装置、内部ブラケット、受け皿の形状のファンネルも含み、内部ブラケットの上に前記固定上蓋、下に前記ファンネル、横にスライド送り装置が配置され、前記スライド送り装置、及び内部ブラケットが前記ハウジングの中に設置され、しかも前記スライド送り装置が前記ハウジングの内壁に密着し、前記スライド送り装置には、ボタン、ガイド円柱、スプリング、定量グリッドを含み、前述ガイド円柱が前記ボタンおよび前記定量グリッドと接続し、前記ハウジングには、前記スライド送り装置をパッケージするための垂直バッフル、前記内部プラケットの傾斜バッフルを含み、前記垂直バッフルのパッケージの外側と、前記傾斜バッフルの上端と、前記ハウジングの内側によって缶の内部空洞を形成し、前記傾斜バッフルと前記垂直バッフルの立面と接近する一端が傾斜底部となり、前記垂直バッフルは前記傾斜バッフルと接続しなく、そして両者の間から缶の内部空洞の放出口を成形し、前記垂直バッフルのパッケージ内部に、また水平方向にガイド円柱ストッパープレートも設置され、前記スプリングが前記ガイド円柱の外側をカバーし、前記スプリングの一端は、前記ボタンの下端と接し、前記スプリングの他端は、前記ガイド円柱ストッパープレートの上端に接し、
前記定量グリッドは、中空となり、しかも定量グリッドの供給口を含み、前記ハウジングの内側の下端と、前記傾斜バッフルと、前記ファンネルが、輪のように接合されると、ファンネルチャンバを形成し、前記定量グリッドの供給口は、前記缶の内部空洞の放出口と接合し、調味料を前記定量グリッドに入れ、前記スライド送り装置によって前記ファンネルチャンバの内部に移動し、調味料を前記ファンネルチャンバに放出する。
【手続補正３】
【補正対象書類名】明細書
【補正対象項目名】０００６
【補正方法】変更
【補正の内容】
【０００６】
好ましくは、前記スライド送り装置は少なくとも１セットを設置し、前記垂直バッフルの数量は前記スライド送り装置と一致し、前記定量グリッドの内腔容量は他の定量グリッドの内腔容量と不一致とする。
【手続補正４】
【補正対象書類名】明細書
【補正対象項目名】０００７
【補正方法】変更
【補正の内容】
【０００７】
具体的には、前記スライド送り装置は対向している２セットを設置し、前記垂直バッフル、傾斜バッフルの数量は、前記スライド送り装置と一致し、前記定量グリッドの内腔容量は他の定量グリッドの内腔容量と不一致とする。
【手続補正５】
【補正対象書類名】明細書
【補正対象項目名】０００９
【補正方法】変更
【補正の内容】
【０００９】
好ましくは、前記放出口の分散スポットは、具体的には帽子状の構造であり、前記調味料が前記放出口の分散スポットの上端に漏れ出した時、均等に周りに分散する。